(57)【要約】      （修正有）【課題】複数の指を別々に固定して、複数の支持点でスマートフォンを保持することができるスマートフォン用保護カバーの持ち手帯又はスマートフォン用保護カバーを提供する。【解決手段】スマートフォンの外面に配置するスマートフォン用保護カバー１００の持ち手帯１０，１１，１２であって、持ち手帯は、指を挿入する略Ｌ字型の環状部材であり、スマートフォンの背面に配置した保護カバーの略中央に、少なくとも２つ以上の環状部材を有する。【選択図】図１
0003202127.tif 000002
【実用新案登録請求の範囲】
【請求項１】
スマートフォンの外面に配置する保護カバーの持ち手帯であって、
前記持ち手帯は、指を挿入する略Ｌ字型の環状部材であり、
前記スマートフォンの背面に配置した前記保護カバーの略中央に、少なくとも２つ以上の前記環状部材を有する、
ことを特徴とするスマートフォン用保護カバーの持ち手帯。
【請求項２】
前記環状部材に装着する平板形状の付属品を更に有し、
前記環状部材は、表面に複数の穴部を備え、
前記付属品は、裏面に複数の突起部材を備え、
前記突起部材を前記穴部に挿入して、前記付属品を前記環状部材に固定する、
ことを特徴とする請求項１に記載のスマートフォン用保護カバーの持ち手帯。
【請求項３】
請求項１又は２に記載の持ち手帯を含むスマートフォン用保護カバー。
【考案の詳細な説明】
【技術分野】
【０００１】
本考案は、スマートフォンの操作時に指を固定するために、保護カバーの表面に持ち手帯を設けたスマートフォン用保護カバーに関する。
【背景技術】
【０００２】
スマートフォンの本体を保護するために、ハードケースカバーやソフトケースカバーのスマートフォン用保護カバーが市販されている。スマートフォン用保護カバーは、例えばスマートフォン本体にキズを付けないために保護するものであったり、柄や質感などを付加するものである。特許文献１には、スマートホン（スマートフォン）を保護するカバーにおいて、カバー背面のほぼ中央部に長手方向に細長く伸縮自在な軟質材にて持ち手帯を形成し、帯体の中央部につまみ突起を設けたことを特徴とする、スマートホンの保護カバーの持ち手帯に関する技術を開示している。
【先行技術文献】
【特許文献】
【０００３】
【特許文献１】特開２０１３−２１５５４４号公報
【考案の概要】
【考案が解決しようとする課題】
【０００４】
しかしながら、特許文献１に開示されている技術では、複数の指を保護カバーの持ち手帯に挿入することができない場合がある。また、特許文献１に開示されている技術では、複数の指を別々に固定して、複数の指を夫々操作することができない場合がある。特許文献１に開示されている技術では、例えば複数の指を別々に固定して、複数の支持点でスマートフォンを保持できない場合があるため、スマートフォンの操作性が限定される場合がある。
【０００５】
本考案は、複数の指を別々に固定して、複数の支持点でスマートフォンを保持することができるスマートフォン用保護カバーの持ち手帯を提供することを目的とする。また、本考案は、複数の指を別々に固定して、複数の支持点でスマートフォンを保持することができるスマートフォン用保護カバーの持ち手帯を含むスマートフォン用保護カバーであってもよい。
【課題を解決するための手段】
【０００６】
上記課題を解決するために、本考案の一つの実施形態は、スマートフォンの外面に配置する保護カバーの持ち手帯であって、前記持ち手帯は、指を挿入する略Ｌ字型の環状部材であり、前記スマートフォンの背面に配置した前記保護カバーの略中央に、少なくとも２つ以上の前記環状部材を有する、ことを特徴とするスマートフォン用保護カバーの持ち手帯を提供する。
【０００７】
本考案の他の実施形態は、上記のスマートフォン用保護カバーの持ち手帯であって、前記環状部材に装着する平板形状の付属品を更に有し、前記環状部材は、表面に複数の穴部を備え、前記付属品は、裏面に複数の突起部材を備え、前記突起部材を前記穴部に挿入して、前記付属品を前記環状部材に固定する、ことを特徴とするスマートフォン用保護カバーの持ち手帯であってもよい。
【０００８】
本考案の他の実施形態は、上記のいずれか１つのスマートフォン用保護カバーの持ち手帯を含むスマートフォン用保護カバーであってもよい。
【考案の効果】
【０００９】
本考案に係るスマートフォン用保護カバーの持ち手帯又はスマートフォン用保護カバーによれば、複数の指を別々に固定して、複数の支持点でスマートフォンを保持することができる。また、スマートフォン用保護カバーの持ち手帯又はスマートフォン用保護カバーによれば、複数の指を容易に固定することができる。
【図面の簡単な説明】
【００１０】
【図１】本考案の実施形態に係るスマートフォン用保護カバーの一例を説明する説明図である。
【図２】本考案の実施形態に係るスマートフォン用保護カバーの持ち手帯の一例を示す断面図である。
【図３】本考案の実施形態に係る付属品の一例を示す平面図である。
【図４】本考案の実施形態に係る付属品の突起部材の例を説明する説明図である。
【図５】本考案の実施形態に係るスマートフォン用保護カバーの一例を示す平面図である。
【図６】本考案の実施形態に係るスマートフォン用保護カバーの他の例を示す平面図である。
【考案を実施するための形態】
【００１１】
実施形態に係るスマートフォン用保護カバーの持ち手帯又はスマートフォン用保護カバーの例を用いて、本考案を説明する。なお、本考案は、以後に説明するスマートフォン用保護カバーの持ち手帯又はスマートフォン用保護カバー以外でも、複数の指を別々に配置して保持するもの（携帯電話、スマートフォン又はその他携帯用電器製品のケース、カバー、ホルダーなど）であれば、いずれのものにも用いることができる。なお、スマートフォン用保護カバーの持ち手帯又はスマートフォン用保護カバーの素材、色、形状は、特に限定されない。スマートフォン用保護カバーの持ち手帯又はスマートフォン用保護カバーの色は、透明、半透明、色付きのものであってもよい。スマートフォン用保護カバーの持ち手帯又はスマートフォン用保護カバーの色は、例えば使用者（消費者）の趣味趣向に合わせた柄のものであってもよい。
【００１２】
以後に、本考案を説明する。
【００１３】
図１乃至図５を用いて、本考案の実施形態に係るスマートフォン用保護カバーの持ち手帯又はスマートフォン用保護カバーの構成を説明する。ここで、図１は、本考案の実施形態に係るスマートフォン用保護カバーの一例を説明する説明図である。図２は、本考案の実施形態に係るスマートフォン用保護カバーの持ち手帯の一例を示す断面図である。図３は、本考案の実施形態に係る付属品の一例を示す平面図である。図４は、本考案の実施形態に係る付属品の突起部材の例を説明する説明図である。図５は、本考案の実施形態に係るスマートフォン用保護カバーの一例を示す平面図である。なお、図１等に示すスマートフォン用保護カバーの持ち手帯又はスマートフォン用保護カバーの構成等は一例であり、本考案は図１等に示すスマートフォン用保護カバーの持ち手帯等に限定されるものではない。
【００１４】
図１に示すように、本考案に係るスマートフォン用保護カバー１００は、スマートフォンの外面に配置する保護カバーの持ち手帯１０を含む。持ち手帯１０（１１、１２）は、本考案では、スマートフォンの背面で保護カバーの略中央に配置され、少なくとも２つ以上を備える。また、持ち手帯１０（１１、１２）は、複数の指を夫々挿入される。これにより、スマートフォンの使用者は、複数の指を別々に固定することができ、複数の指を夫々操作することができる。このため、スマートフォンの使用者は、例えば複数の指を別々に固定して、複数の支持点でスマートフォンを保持でき、スマートフォンの操作性を向上することができる。なお、スマートフォンの使用者は、指を持ち手帯１０（１１、１２）に挿入してもよいし、指で持ち手帯１０（１１、１２）を挟み込んでもよい。スマートフォンの使用者は、例えば持ち手帯１０（１１、１２）の隙間に指を配置してもよい。
【００１５】
図２に示すように、本考案に係るスマートフォン用保護カバーの持ち手帯１０（１１、１２）は、指を挿入する略Ｌ字型の環状部材である。なお、スマートフォン用保護カバーおよび持ち手帯の材質は、特に限定されない。本考案に係るスマートフォン用保護カバーおよび持ち手帯は、例えばシリコン、塩化ビニル、合成樹脂又はエンジニアリングプラスチックなどを用いることができる。また、スマートフォン用保護カバーおよび持ち手帯の形状は、指を挿入できる開口を有するものであればよく、アーチ状、半円状、角が丸まったもの又は尖ったものであってもよい。
【００１６】
図１に示すように、本考案に係るスマートフォン用保護カバーの持ち手帯１０（１１、１２）は、環状部材の表面に複数の穴部（ａ１、ａ２、ａ３）を備える。持ち手帯１０（１１、１２）は、付属品（後述する図３の２０）の突起部材を穴部（ａ１、ａ２、ａ３）に挿入して、付属品を環状部材に固定する（後述する図５）。これにより、本考案に係るスマートフォン用保護カバーは、使用者（消費者）の趣味趣向に合わせた柄の付属品をスマートフォン用保護カバーに装着することができる。
【００１７】
図３及び図４に、本考案に係るスマートフォン用保護カバーの付属品２０を示す。なお、図３及び図４に示す付属品は一例であり、本考案に用いることができる付属品は、持ち手帯（図１の１０）に装着することができる平板形状のものであれば、いずれのものでもよい。付属品２０は、図３に示すように、使用者（消費者）の趣味趣向に合わせた任意の形状および柄であってもよい。
【００１８】
図４に示すように、本考案に係る付属品２０は、その裏面に複数の突起部材（ｂ１、ｂ２、ｂ３）を備える。付属品２０は、突起部材（ｂ１、ｂ２、ｂ３）を持ち手帯１０の穴部（ａ１、ａ２、ａ３）に挿入して、固定される。本考案に係る付属品２０は、例えば図５に示すように、スマートフォン用保護カバーの表面に装着することができる。
【００１９】
図６に、本考案の実施形態に係るスマートフォン用保護カバーの他の例を示す。図６に示すように、スマートフォン用保護カバーの持ち手帯１３は、略楕円形の平板形状であり、表面に持ち手帯１１、１２を配置し、裏面にシール部材を有する。スマートフォン用保護カバーの持ち手帯１３は、裏面のシール部材を用いて、スマートフォンに貼り付けられる。
【００２０】
以上のとおり、本考案に係るスマートフォン用保護カバーの持ち手帯又はスマートフォン用保護カバーによれば、複数の指を別々に固定して、複数の支持点でスマートフォンを保持することができる。また、本考案に係るスマートフォン用保護カバーの持ち手帯又はスマートフォン用保護カバーによれば、複数の指を容易に固定することができる。更に、本考案に係るスマートフォン用保護カバーの持ち手帯又はスマートフォン用保護カバーによれば、コンパクトで持ち運びすることができ、スマートフォンを容易に利用することを補助することができる。
【００２１】
また、本考案に係るスマートフォン用保護カバーの持ち手帯又はスマートフォン用保護カバーによれば、複数の指を保護カバーの持ち手帯に挿入することができる。本考案に係るスマートフォン用保護カバーの持ち手帯又はスマートフォン用保護カバーによれば、複数の指を別々に固定して、複数の指を夫々操作することができるので、複数の支持点でスマートフォンを保持でき、スマートフォンの操作性を向上することができる。これにより、本考案に係るスマートフォン用保護カバーの持ち手帯又はスマートフォン用保護カバーによれば、不安定な状態で手のひらに乗せて操作する場合と比較して、指がスマートフォン本体に半固定されることにより、不自然な力が入らないため疲れず、落とすこともなく、操作性を向上することができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１００，１００Ｂ  ：  スマートフォン用保護カバー
１０，１１，１２  ：  持ち手帯
１３  ：  シールで張り付ける持ち手帯
２０，２１  ：  付属品（装飾品など）
ａ１，ａ２，ａ３：  穴部
ｂ１，ｂ２，ｂ３：  突起部材
【図１】
0003202127.tif 000003
【図２】
0003202127.tif 000004
【図３】
0003202127.tif 000005
【図４】
0003202127.tif 000006
【図５】
0003202127.tif 000007
【図６】
0003202127.tif 000008